(57)【特許請求の範囲】
【請求項１】
予備充電抵抗器（ＲＶ）と予備充電スイッチ（ＳＶ）とを有する、直流回路（７）のコンデンサ（Ｃ）を充電するための予備充電スイッチ構成（１）であって、
前記予備充電抵抗器（ＲＶ）が、前記予備充電抵抗器（ＲＶ）の両端間の電圧（ＵＶ）を検出するためのデバイス（３）に少なくとも間接的に接続され、
前記予備充電抵抗器（ＲＶ）の両端間の前記電圧（ＵＶ）を検出するための前記デバイス（３）が、前記予備充電抵抗器（ＲＶ）においてタップされた前記電圧（ＵＶ）を直流電圧源（１５）からの基準電圧（ＵＲ）と比較するための比較要素（１３）を有し、
前記基準電圧（ＵＲ）を生成するための前記直流電圧源（１５）が、直流電圧コンバータ（２１）であり、
前記予備充電スイッチ（ＳＶ）の制御入力部（２９）が、前記予備充電スイッチ（Ｓｖ）がオン状態に切り替えられたときに前記直流電圧コンバータ（２１）が作動状態になるように、前記直流電圧コンバータ（２１）の入力部（２６）に接続されることを特徴とする、
予備充電スイッチ構成（１）。
【請求項２】
前記予備充電抵抗器（ＲＶ）の両端間の前記電圧（ＵＶ）を検出するための前記デバイス（３）が、前記予備充電抵抗器（ＲＶ）に入力側で接続される第１の分圧器（１１）を有することを特徴とする、
請求項１に記載の予備充電スイッチ構成（１）。
【請求項３】
前記直流電圧源（１５）が、第２の分圧器（２３）によって前記比較要素（１３）に接続されることを特徴とする、
請求項１に記載の予備充電スイッチ構成（１）。
【請求項４】
前記比較要素（１３）が、出力側で送信ユニット（U）の入力部（UＥ）に接続されることを特徴とする、
請求項１から３のいずれか一項に記載の予備充電スイッチ構成（１）。
【請求項５】
前記送信ユニット（U）が、その前記入力部（UＥ）から電流に関して分離される出力部（UＡ）を有することを特徴とする、
請求項４に記載の予備充電スイッチ構成（１）。
【請求項６】
前記送信ユニット（U）の前記出力部（UＡ）の供給線が、前記直流電圧コンバータ（２１）の前記入力部（２６）に接続されることを特徴とする、
請求項５に記載の予備充電スイッチ構成（１）。
【請求項７】
請求項１に記載の予備充電スイッチ構成（１）であって、
前記比較要素（１３）の供給線、前記直流電圧コンバータ（２１）の前記出力部（１５）、請求項１を引用する請求項４に記載の送信ユニット（U）の入力部（UＥ）、請求項２に記載の第１の分圧器（１１）、および請求項３に記載の第２の分圧器（２３）に関する共通の基準電位（Ｍ）であって、前記予備充電抵抗器（ＲＶ）を前記予備充電スイッチ（ＳＶ）に接続する線（９）に接続される共通の基準電位（Ｍ）によって特徴付けられる、
予備充電スイッチ構成（１）。
【請求項８】
請求項１または７に記載の予備充電スイッチ構成（１）であって、
少なくとも、請求項２に記載の第１の分圧器、請求項３に記載の第２の分圧器、前記予備充電抵抗器（ＲＶ）、前記予備充電スイッチ（ＳＶ）、前記比較要素（１３）、請求項１を引用する請求項４に記載の送信ユニット（U）、および前記直流電圧コンバータ（２１）が、共通のハウジング内に配置される構成要素の組（３１）を形成することを特徴とする、
予備充電スイッチ構成（１）。
【請求項９】
電気的負荷のための電力供給構成（５）であって、
前記負荷が入力側のコンデンサ（Ｃ）であり、高電流電圧源（Ｂ）を前記コンデンサ（Ｃ）に接続する直流回路（７）を有しかつ前記高電流電圧源（Ｂ）と前記コンデンサ（Ｃ）の両極との間に各々配置される２つの制御可能な切り替え要素（Ｓ１、Ｓ２）を有する、電力供給構成（５）において、
請求項１から８のいずれか一項に記載の予備充電スイッチ構成（１）が、制御可能な切り替え要素（Ｓ２）と並列に接続されることを特徴とする、
電力供給構成（５）。
【請求項１０】
前記予備充電スイッチ構成（１）が、前記制御可能な切り替え要素（Ｓ２）の上流および下流で、２つの高電圧接続部（１７、１９）のみによって前記直流回路（７）に接続されることを特徴とする、
請求項９に記載の電気的負荷のための電力供給構成（５）。
【請求項１１】
直流高電圧源（Ｂ）に負荷を接続するための方法であって、
請求項１から８のいずれか一項に記載の予備充電スイッチ構成（１）、または請求項９から１０のいずれか一項に記載の電力供給構成（５）を使用して、前記負荷が、前記直流高電圧源（Ｂ）と前記負荷との間に配置される予備充電抵抗器（ＲＶ）の両端間の電圧（ＵＶ）に応じて、前記直流高電圧源（Ｂ）に接続される、ことを特徴とする、方法。
【請求項１２】
所望の充電状態に達するとき、前記予備充電スイッチ（ＳＶ）が開かれ、このことにより前記予備充電スイッチ構成（１）が無電力状態へと切り替えられることを特徴とする、
請求項１１に記載の方法。
【発明の詳細な説明】
【技術分野】
【０００１】
本発明は、予備充電抵抗器および予備充電スイッチを有する、直流回路のコンデンサを充電するための予備充電スイッチ構成に関する。本発明は、電気的負荷のための電力供給構成であって、この負荷が入力側のコンデンサであり、高電圧源をこのコンデンサに接続する供給電流回路を有しかつこの高電圧源とコンデンサの両極との間に各々配置される２つの制御可能な切り替え要素を有する、電力供給構成にさらに関する。本発明は、直流高電圧源（high direct-current voltage source）に負荷を接続するための方法にさらに関する。
【背景技術】
【０００２】
直流回路のための予備充電スイッチ構成が知られている。これらは特に、負荷が電源に接続されることが意図された高電圧直流回路において使用される。特に、負荷が入力側のコンデンサである直流回路において。多く見られる出願には、たとえば、車両の電気またはハイブリッド駆動装置内の「バッテリ遮断ユニット（ＢＤＵ）」が含まれる。そのような駆動装置は一般に車載ネットワークに、特に、必要とされる交流電圧または駆動ユニット用の三相電流電圧を提供するためのインバータに接続される、高電圧バッテリを有する。安全上の理由から、そのようなデバイスは、各極に１つずつの２つの制御可能な切り替え要素を有する。これらの切り替え要素はたとえば、接触器またはリレーとすることができる。
【０００３】
そのような直流回路において、充電されていないコンデンサに直流電源が直接接続される場合、短絡電流が短時間だけ流れる場合があり、この短絡電流は構成要素の損傷につながる可能性がある。この目的のために、コンデンサは、直流電圧源に完全に接続される前に、予備充電される。この目的のために、予備充電スイッチ構成が、２つの制御可能な切り替え要素のうちの一方と並列に接続される。コンデンサを予備充電するために、その場合、他方の制御可能な切り替え要素および予備充電スイッチが閉じられる。コンデンサはこのことにより、予備充電抵抗器によって充電される。コンデンサが所望の充電状態に達した場合、予備充電スイッチ構成と並列に接続される制御可能な切り替え要素も閉じられ、負荷が直流電圧源に接続される。次いで予備充電スイッチを、再び開くことができる。
【０００４】
コンデンサの充電状態をモニタするために、開かれた制御可能な切り替え要素の両端間でコンデンサの電圧をタップし、評価することが慣例である。この電圧は、コンデンサの充電状態に関連する情報を提供できる。この種類の電圧測定は、存在する場合がありかつ電圧を評価し制御可能な切り替え要素を切り替えるための制御信号を生成する、電子制御システムからの、高圧線の複雑な切り離しを必要とする。加えて、制御可能な切り替え要素の２つの側の間のガルバニック分離が結果として、高い信頼性では保証されない。知られている先行技術では、ガルバニック分離のために、補助リレーが多くの場合使用される。この解決法では、予備充電スイッチ構成が、複雑で費用の高いものとなる。
【発明の概要】
【発明が解決しようとする課題】
【０００５】
本発明の目的はしたがって、コンデンサの充電状態を高い信頼性で検出し、高いレベルの信頼性を保証し、少なくとも予備充電スイッチ構成に関してコンパクトな構造をさらに実現することが可能な、予備充電スイッチ構成、電力供給構成、および直流高電圧源に負荷を接続するための方法を提供することである。
【課題を解決するための手段】
【０００６】
本発明によれば、予備充電スイッチ構成に関する目的は、予備充電抵抗器が、予備充電抵抗器の両端間の電圧を検出するためのデバイスに、少なくとも間接的に接続される、という形で達成される。電力供給構成に関して、本発明による目的は、本発明による予備充電スイッチ構成が、２つの制御可能な切り替え要素のうちの一方と並列に接続されるという形で達成される。導入部で述べられた、直流高電圧源に負荷を接続するための方法に関して、本発明による目的は、直流高電圧源と負荷との間に配置される予備充電抵抗器の両端間の電圧に応じて、直流高電圧源に負荷が接続される、という形で達成される。
【０００７】
本発明は、検出されるべき電圧を、制御可能な切り替え要素の一方においてではなく、予備充電抵抗器においてタップできる、という利点をもたらす。少なくとも、電圧を検出するための接続部は、予備充電工程を終えた後で予備充電スイッチが開いているときに、高電圧源と車載電力供給ネットワークとの間にある電流搬送回路中のコンデンサと、もはや統合されていない。測定されるべき電圧は、制御可能な切り替え要素の一方の両側でタップされないので、制御可能な切り替え要素のこれら２つの側は、この切り替え要素が開かれたとき、電流に関して各々完全に分離される。補助リレーの使用を、したがって省略することができる。別の利点は、同じ電圧を、並列に接続される制御可能な切り替え要素におけるように、予備充電抵抗器においてタップできることである。本発明はしたがって、コンデンサの充電、およびコンデンサの充電状態を判定するための電圧の検出を、より高い信頼性をもって実行することを可能にし、同時に、電子制御システムに関して、高電圧回路からの複雑な切り離しに関する要件が緩和される。
【０００８】
本発明による解決法を、各々それ自体有利でありかつ互いと自由に組み合わせ可能な様々な実施形態により、さらに改善することができる。これらの実施形態およびこれらと結び付けられる利点について、以下で検討する。
【０００９】
予備充電スイッチは特に、接触器またはリレーとすることができる。これらの構成要素は既知であり、高電圧または高電流の切り替えに関して、高いレベルの信頼性をもって使用され得る。
【００１０】
予備充電抵抗器においてタップされる電圧を低減するために、予備充電抵抗器の両端間の電圧を検出するためのデバイスは、予備充電抵抗器に入力側で接続される、第１の分圧器を有し得る。次いでこの分圧器は、予備充電抵抗器の両端間の電圧に比例する電圧を提供することができる。このことは特に、検出用デバイスを過度な高電圧から保護するために有利であり得る。第１の分圧器は、予備充電抵抗器の両端部において接続される、２つの入力部を有し得る。
【００１１】
予備充電スイッチ構成は、ちょうど２つの高電圧接続部を有することができ、第１の分圧器の入力部、予備充電抵抗器、および予備充電スイッチの両方の接続部は、共通の線区域上で、これらの高電圧接続部間に配置される。したがって、既存の高直流回路内に特に簡単に追加的に組み込み可能な、特にコンパクトな予備充電スイッチ構成を実現することが可能である。
【００１２】
予備充電抵抗器の両端間の電圧を検出するためのデバイスは、予備充電抵抗器においてタップされた電圧を直流電圧源からの基準電圧と比較するための、比較要素を有し得る。この電圧は、以下では予備充電電圧と呼ばれる。このようにして、予備充電抵抗器における電圧、および結果としてコンデンサの充電状態が所望の値に対応するかどうかを、簡単に確定することができる。比較要素は特に、比較器とすることができる。分圧器が使用されるとき、第１の分圧器の出力部を、比較器の反転入力部に接続することができる。適正でない切り替えを防止するためにおよび切り替えヒステリシスを導入するために、比較器を、シュミットトリガによって形成することができる。
【００１３】
基準電圧用の直流電圧源は、直流電圧コンバータとすることができる。直流電圧変換器は入力側で、予備充電スイッチ構成の外側から低電圧源によって、供給を受けることができる。直流コンバータを使用して、十分に高い直流電圧を提供することができ、この直流電圧を用いて、予備充電抵抗器においてタップされたまたは第１の分圧器によって提供される電圧を、比較することができる。予備充電スイッチ構成の外側からの供給は、直流電圧コンバータがその場合、高電圧側から電流に関して分離された電圧を提供できるので、特に有利である。
【００１４】
比較要素に関する基準電圧を規定するために、直流電圧源を、第２の分圧器によって比較要素に接続することができる。比較器が使用されるとき、第２の分圧器の出力部を、比較器の非反転入力部に接続することができる。
【００１５】
特に簡単な構造を実現するため、予備充電スイッチの制御入力部を、直流電圧コンバータの入力部に接続することができる。予備充電スイッチの制御入力部は特に、リレーまたは接触器のコイルに供給を行うことができる。そのような構成により、予備充電スイッチ構成に設けられる低電圧接続部を、可能な最低の個数とすることができる。予備充電スイッチの制御入力部に関しておよび直流電圧コンバータに関して、共通の入力部を使用することにより、直流電圧コンバータは、ちょうど予備充電スイッチがオンに切り替えられたときに、作動状態になる。
【００１６】
比較要素を、出力側で、送信ユニットの入力部に接続することができる。このことにより、比較要素の信号を送信することが可能であり、この信号を使用して、直流回路の制御可能な切り替え要素を制御することができる。
【００１７】
送信ユニットが、その入力部から電流に関して分離される出力部を有するとき、特に有利である。送信ユニットの出力部を、たとえば、電子制御システムに接続することができる。ガルバニック分離により、電子制御システムを、高直流回路から分離して動作させることができる。このことにより、たとえばそのような予備充電スイッチ構成が使用される車両に関して、信頼性を大きく高めることができる。
【００１８】
送信ユニットが光カプラであることによって、特に良好なガルバニック分離が実現される。
【００１９】
送信ユニットの出力部の供給線が、直流電圧コンバータの入力部に接続されるという形で、特にコンパクトな構造を実現することができる。送信ユニットがたとえば光カプラである場合、たとえば、この光カプラ内のフォトトランジスタのコレクタを、直流電圧コンバータにも入力側で接続される同じ正の供給線に接続することが可能である。光カプラ内のフォトトランジスタのエミッタはその場合、送信ユニットの信号を提供することができる。そのような構造により、予備充電スイッチ構成が、全部でただ３つの低電圧接続部、１つの正の接続部、１つの負の接続部、および１つの信号線を有することが可能になる。
【００２０】
予備充電スイッチ構成は、比較要素の供給線、直流電圧コンバータの出力部、送信ユニットの入力部、第１の分圧器および第２の分圧器に関する共通の基準電位を有することができ、この電位は、予備充電抵抗器を予備充電スイッチに接続する線に接続される。そのような構成により、予備充電スイッチ構成を、負の高電圧電位を搬送する高直流回路の線から、分離して動作させることが可能となる。このことにより、使用されていないときに、予備充電スイッチ構成のクリープ電流および電力消費が発生しないようにすることができる。
【００２１】
予備充電スイッチ構成を、２つの高電圧接続部のみを介して高直流回路に接続することは、特に有利である。予備充電スイッチ構成を、これら２つの接続部を介して、直流回路の並列接続された制御可能な切り替え要素の上流および下流で接続することができる。このようにして、予備充電スイッチが開いているとき、予備充電スイッチ構成は、直流回路の高電圧源の１つの極にのみ接続される。予備充電スイッチが開いているとき、予備充電スイッチ構成は、高電圧源によって供給される電流を受けない。このことにより、特に信頼性の高い構造および動作が可能となる。さらに、予備充電スイッチが開いているときは、バッテリから静的電流が流れない。
【００２２】
少なくとも、２つの分圧器、予備充電抵抗器、予備充電スイッチ、比較要素、送信ユニット、および直流電圧コンバータは、共通のハウジング内に配置される構成要素の組を形成し得る。予備充電スイッチ構成の特にコンパクトな構造が、このことにより可能となる。ハウジングが、直流電圧コンバータおよび送信ユニットの出力部を動作させるための３つの低電圧接続部、ならびに、電気回路の制御可能な切り替え要素と並列に接続される２つの高電圧接続部を、まさにこの数で有することは、特に有利である。
【００２３】
導入部で述べられた、直流高電圧源に負荷を接続するための方法を、上記の実施形態のうちの１つによる予備充電スイッチ構成を使用するという形で、改善することができる。
【００２４】
この方法を実行するときの信頼性を高めるために、および、たとえばこの方法が使用される車両の、コンデンサの所望の充電状態に達するときの動作上の安全性を保証するために、予備充電スイッチを開くことができ、このことにより予備充電スイッチ構成を、無電力状態へと切り替えることができる。
【００２５】
本発明について、実施形態および図面を参照して例示により以下でより詳細に説明する。実施形態において例示により示される特徴の組み合わせを、上記の説明に従って、本発明による予備充電スイッチ構成および本発明による電力供給構成の特性に従う追加の特徴により、特定の用途の要求に応じて補完することができる。同様に上記の説明に従って、記載した実施形態において、個々の特徴の作用が特定の用途において重要でない場合、その特徴を省略することも可能である。
【００２６】
図面においては、同じ機能および／または同じ構造を有する要素に対して、常に同じ参照符号が使用される。
【図面の簡単な説明】
【００２７】
【図１】本発明による電力供給構成における、本発明による予備充電スイッチ構成の概略回路図である。
【図２】抵抗器の両端間の電圧を検出するための、本発明によるデバイスの構造の概略図である。
【図３】本発明による予備充電スイッチ構成および本発明による電力供給構成の実施形態の、回路図である。
【発明を実施するための形態】
【００２８】
たとえば予備充電スイッチ構成および第２の制御可能な切り替え要素が、高電流回路の正の側にある、本発明によるデバイスおよび方法について、以下に記載する。ただし、負の側でのデバイスの構成、および本発明によるデバイスが負の側にある状態での方法の実施も、可能である。その場合は、第２の制御可能な切り替え要素も、負の側に位置し、一方、第１の制御可能な切り替え要素は、正の側に配置される。
【００２９】
図１は、本発明による電力供給構成５における、予備充電抵抗器ＲＶの両端間の電圧を検出するためのデバイス３を有する、本発明による予備充電スイッチ構成１を示す。電力供給構成５は、以下で電力供給回路７と呼ばれる、直流回路７を有する。電力供給回路７は、直流高電圧源Ｂに負荷を接続することができ、図１ではこの負荷に関して、コンデンサＣのみが示されている。直流高電圧源Ｂは特に、高電圧バッテリとすることができる。電力供給回路７を、あらゆる極で切り替えることができる。すなわち、制御可能な切り替え要素Ｓ１およびＳ２が、直流高電圧源Ｂの両側に設けられる。
【００３０】
両方の制御可能な切り替え要素Ｓ１およびＳ２が閉じられている場合、コンデンサＣは、直流高電圧源Ｂに接続される。予備充電スイッチ構成１は、制御可能な切り替え要素Ｓ２と並列に接続される。予備充電スイッチ構成１は、予備充電抵抗器ＲＶおよび予備充電スイッチＳＶを有する。予備充電抵抗器ＲＶおよび予備充電スイッチＳＶは、線区域９上で直列につながるように配置される。
【００３１】
予備充電抵抗器ＲＶの両端間の電圧ＵＶを検出するために、デバイス３は、予備充電抵抗器ＲＶの上流および下流で、線区域９に接続される。デバイス３を、予備充電抵抗器ＲＶと予備充電スイッチＳＶとの間の線区域９の追加の場所における基準電位Ｍとしての線Ｍに、追加的に接続することができる。このことについて、図３を参照して記載する。予備充電抵抗器ＲＶの両端間で検出される電圧ＵＶを使用して、コンデンサＣの充電状態を評価することができる。
【００３２】
図２は、デバイス３の構造の概略図である。予備充電抵抗器ＲＶにおいてタップされた予備充電電圧ＵＶが、第１の分圧器１１に供給され、そこから、予備充電電圧ＵＶから変換される測定電圧ＵＭが、比較要素１３に供給される。比較要素１３において、測定電圧ＵＭが、直流電圧源１５によって生成される基準電圧ＵＲと比較される。直流電圧源１５を特に、直流電圧コンバータとすることができる。
【００３３】
比較要素１３は、出力側で、送信ユニットUの入力部UＥに接続される。切り替え信号ＳＳは、比較要素１３から送信ユニットUの入力部UＥへと導かれる。送信ユニットUは、入力部UＥから電流に関して分離される、出力部UＡを有する。送信ユニットUの出力部UＡは、切り替え信号Ｓ’Ｓを、デバイス３の外部側に送信する。切り替え信号Ｓ’Ｓを使用して、制御可能な切り替え要素Ｓ２を切り替えることができる。切り替え信号Ｓ’Ｓを、好適な評価システムまたは電子制御システムを介して、制御可能な切り替え要素Ｓ２の制御入力部に直接導くことができる。この制御入力部は、たとえば、接触器またはリレーとして構築される切り替え要素Ｓ２のコイルと、当接していてよい。
【００３４】
負荷またはそのコンデンサＣを、直流高電圧源Ｂに、たとえば、電力供給回路７の正の側で予備充電スイッチ構成１および第２の制御可能な切り替え要素Ｓ２に、接続するための、本発明による方法について、図１および図２を参照して以下に記載する。
【００３５】
最初は、全ての切り替え要素Ｓ１、Ｓ２、およびＳＶが開いている。コンデンサＣにおいて、電圧は存在しない。第１のステップで、制御可能な切り替え要素Ｓ１が閉じられる。すると、コンデンサＣの、切り替え要素Ｓ１に面する側が、直流高電圧源Ｂの極に接続される。
【００３６】
コンデンサＣを予備充電するために、ここで予備充電スイッチＳＶが閉じられる。同時に、デバイス３に電圧を提供することができる。予備充電スイッチＳＶを閉じることによって、コンデンサＣは、予備充電抵抗器ＲＶを介して、直流高電圧源Ｂに接続される。ここで、予備充電抵抗器ＲＶを介して、コンデンサＣを通って充電電流が流れ、このことによりコンデンサＣが充電される。充電工程中、予備充電抵抗器ＲＶの両端間の電圧ＵＶは、デバイス３からタップされる。電圧ＵＶは、コンデンサＣの充電状態を確定する役割を果たす。
【００３７】
充電工程の始まりにおいて、直流高電圧源Ｂの全電圧が、予備充電抵抗器ＲＶの両端間で印加され、予備充電電圧ＵＶおよび測定電圧ＵＭは、基準電圧ＵＲよりも大きい。基準電圧ＵＲは、コンデンサＣの所望の充電状態に応じて調整される。抵抗器ＲＶの両端間の電圧ＵＶは、コンデンサＣの充電状態が高まるにつれて低くなる。比較要素１３における電圧ＵＭが基準電圧ＵＲを下回るとすぐに、比較要素は、切り替え信号ＳＳを送信ユニットUに送信する。
【００３８】
送信ユニットUは、切り替え信号ＳＳを、間接的にまたは直接的に、制御可能な切り替え要素Ｓ２の制御入力部に導く。このことにより制御可能な切り替え要素Ｓ２が閉じられ、この結果、電力供給回路７が閉じられる。すると、負荷またはそのコンデンサＣは、直流高電圧源Ｂに全ての極において接続される。制御可能な切り替え要素Ｓ２が閉じられると、予備充電スイッチＳＶを開くことができる。すると、回路が線区域９にわたって切断されるので、電流はもはや予備充電スイッチ構成１を通って流れることができない。
【００３９】
図３は、本発明による電力供給構成５における、本発明による予備充電スイッチ構成１の実施形態の回路図を示す。この回路図は、本発明による構成１、デバイス３、および構成５の構造に従う。この構造について、図１および図２を参照して記載する。
【００４０】
予備充電スイッチ構成１は、２つの高電圧接続部１７および１９のみによって、電力供給回路７の高電圧電位に接続される。既に上記したように、予備充電スイッチ構成１は、予備充電スイッチＳＶを開くことにより、無電力状態へと切り替えられる。
【００４１】
本発明による予備充電スイッチ構成１の構造について、予備充電抵抗器ＲＶに基づいて、以下に記載する。予備充電抵抗器ＲＶにわたり、予備充電電圧ＵＶが、第１の分圧器１１を使用してタップされる。第１の分圧器１１は、抵抗器Ｒ１およびＲ２から形成される。予備充電電圧ＵＶは、コンデンサＣにおける充電電圧と同一ではない。しかしながら、予備充電電圧ＵＶを使用して、コンデンサＣの充電状態を判定することができる。第１の分圧器１１は、測定電圧ＵＭを提供し、これは比較器１３の反転入力部に供給される。
【００４２】
比較器１３は、比較要素１３として働き、供給接続部Ｖ＋、Ｖ−を有する。負の供給接続部Ｖ−は、デバイス３の線Ｍと当接している。線Ｍは、分圧器１１と予備充電スイッチＳＶとの間の線区域９に接続される。比較器１３の反転入力部と線Ｍとの間に、ツェナーダイオードＺＤ１およびこれと並列にコンデンサＣ２が接続され、このツェナーダイオードＺＤ１は、電圧を好適なレベルに限定する。電圧は、この構成要素に特有の形で使用される比較器１３によって決まる。比較器１３の機能を損なわないために、ツェナー電圧の値は、非反転入力部における基準電圧を上回らなければならない。ツェナーダイオードＺＤ１は、比較器の反転入力部を保護する役割を果たす。コンデンサ２は、反転入力部を安定させる役割を果たす。
【００４３】
追加の抵抗器Ｒ３を、分圧器１１と比較器１３の反転入力部との間に接続することができる。
【００４４】
基準電圧ＵＲが、比較器１３の非反転入力部において印加される。基準電圧ＵＲは、直流電圧源１５によって提供される。直流電圧源１５は、直流電圧コンバータ２１の出力部１５とすることができる。直流電圧コンバータ２１の負の出力部１５は、線Ｍに接続される。
【００４５】
直流電圧コンバータ２１の正の出力部と線Ｍとの間に、コンデンサＣ３を接続することができる。コンデンサＣ３は、直流電圧コンバータ２１の出力電圧を安定させる役割を果たすことができる。直流電圧コンバータ２１の正の出力部は、比較器１３の正の供給接続部Ｖ＋に接続される。
【００４６】
基準電圧ＵＲは、抵抗器Ｒ４およびＲ５によって形成されかつ直流電圧コンバータ２１の正の出力部と線Ｍとの間に接続される、第２の分圧器２３によって提供される。第２の分圧器２３の出力部は、抵抗器Ｒ６を介して、比較器１３の非反転入力部に接続される。コンデンサＣ１は、抵抗器Ｒ６と比較器１３の非反転入力部と線Ｍとの間に接続され、比較器１３の非反転入力部を安定させる役割を果たすことができる。
【００４７】
比較器の出力部を、抵抗器Ｒ７を介して、非反転入力部に接続することができる。このことにより切り替えヒステリシスを生成することができ、この結果、適正でない切り替えの発生を防止することができる。比較器１３は、抵抗器Ｒ７およびＲ６とともに、シュミットトリガ（Schmitt trigger）を構成することができる。
【００４８】
比較器１３の出力部を、抵抗器Ｒ８を介して、送信ユニットUの入力部UＥに接続することができる。示される実施形態では、送信ユニットUは光カプラUであり、入力部UＥは光ダイオードUＥである。光ダイオードUＥによって生成された光信号を、送信ユニットUの出力部UＡを構成するフォトトランジスタUＡによって受信し、電気信号Ｓ’Ｓへと変換することができる。この信号Ｓ’Ｓを使用して、制御可能な切り替え要素Ｓ２を制御することができる。
【００４９】
フォトトランジスタUＡを、低電圧デバイス２５に接続することができる。低電圧デバイス２５は、電子制御システム（図示せず）に属することができる。低電圧デバイス２５は、正の接続部、負の接続部、および信号線を有し得る。フォトトランジスタUＡを、低電圧デバイス２５の正の線におよび信号線に、接続することができる。入力側で、直流電圧コンバータ２１を、低電圧デバイス２５に接続することもできる。直流電圧コンバータ２１を、低電圧デバイス２５の正の接続部および負の接続部に接続し、このことによりその動作電圧を得ることができる。
【００５０】
特に有利な実施形態では、直流電圧コンバータ２１の入力部２６を、予備充電スイッチＳＶの制御入力部２９に接続することができる。その場合、低電圧デバイス２５の同じ動作電圧を使用して、直流電圧コンバータ２１および制御入力部２９、たとえば予備充電スイッチＳＶのコイルの、両方を動作させることができる。
【００５１】
本発明による予備充電スイッチ構成１の特にコンパクトな実施形態は、２つの高電圧接続部１７、１９、および低電圧デバイス２５への３つ接続部のみを有する。低電圧デバイス２５は好ましくは、予備充電スイッチ構成１の外側にある。予備充電スイッチ構成１は、いずれの場所においても、電力供給回路７の負の分岐２７に導電可能に接続されない。
【００５２】
予備充電スイッチ構成１の要素は好ましくは、共通のハウジング（図示せず）内に収容される構成要素の組３１を形成する。
【符号の説明】
【００５３】
１  予備充電スイッチ構成
３  デバイス
５  電圧供給構成
７  直流回路
９  線区域
１１  第１の電圧導体
１３  比較要素／比較器
１５  直流電圧源
１７  高電圧接続部
１９  高電圧接続部
２１  直流電圧コンバータ
２３  第２の分圧器
２５  低電圧デバイス
２６  直流電圧コンバータの入力部
２７  電力供給回路の負の分岐
２９  制御入力部
３１  構成要素の組
Ｂ  直流高電圧源
Ｃ  コンデンサ
Ｃ１  コンデンサ
Ｃ２  コンデンサ
Ｃ３  コンデンサ
Ｍ  基準電位
ＲＶ  予備充電抵抗器
Ｒ１  抵抗器
Ｒ２  抵抗器
Ｒ３  抵抗器
Ｒ４  抵抗器
Ｒ５  抵抗器
Ｒ６  抵抗器
Ｒ７  抵抗器
Ｒ８  抵抗器
Ｓ１、Ｓ２  切り替え要素
ＳＳ  スイッチ信号
ＳＶ  予備充電スイッチ
ＵＭ  測定電圧
ＵＲ  基準電圧
ＵＶ  予備充電電圧
U  送信ユニット／光カプラ
UＡ  送信ユニットの出力部
UＥ  送信ユニットの入力部／光ダイオード
Ｖ＋、Ｖ−  供給接続部
ＺＤ１  ツェナーダイオード
【図１】
0006554110.tif 000002
【図２】
0006554110.tif 000003
【図３】
0006554110.tif 000004